(57)【要約】【課題】バルーンが膨らんだ状態でベース部材をその位置で固定できる構造の照明装置、そのために用いるロック装置を提供すること。【解決手段】互いに接近しまたは離間する方向に移動可能な中間部材１２とベース部材１３との間に設けられ、中間部材１２とベース部材１３とが接近した状態において互いに引き合う方向に係合して互いに離れないように係止するためのロック装置ＬＳであって、ベース部材１３に回動軸を中心に回動可能に取り付けられ、先端部にフック５２ａが設けられたフック部材５２と、中間部材１２に回動軸を中心に回動可能にかつ原姿勢に戻る方向に付勢されて取り付けられ、先端部にフック５２ａと係合可能な軸部６４ａを備えたリンク部材６２とを有し、フック部材には、リンク部材により押されることによってフックをリンク部材が原姿勢であるときに係合する係合姿勢と係合しない非係合姿勢との間で回動させる姿勢変更部５２ｂが設けられている。【選択図】  図４
2015079597.tif 000002
【特許請求の範囲】
【請求項１】
互いに接近しまたは離間する方向に移動可能な第１の部材と第２の部材との間に設けられ、前記第１の部材と前記第２の部材とが接近した状態において互いに引き合う方向に係合して互いに離れないように係止するためのロック装置であって、
前記第１の部材に回動軸を中心に回動可能に取り付けられ、先端部にフックが設けられたフック部材と、
前記第２の部材に回動軸を中心に回動可能にかつ原姿勢に戻る方向に付勢されて取り付けられ、先端部に前記フックと係合可能な係合部を備えたリンク部材と、を有し、
前記フック部材には、前記リンク部材により押されることによって前記フックを前記リンク部材が原姿勢であるときに係合する係合姿勢と係合しない非係合姿勢との間で回動させる姿勢変更部が設けられている、
ことを特徴とするロック装置。
【請求項２】
前記姿勢変更部は、
前記第１の部材と前記第２の部材とが接近することにより前記リンク部材により押されて前記非係合姿勢から前記係合姿勢に変更する係合押当部と、
前記第１の部材と前記第２の部材とが接近することにより前記リンク部材により押されて前記係合姿勢から前記非係合姿勢に変更する非係合押当部と、
前記非係合姿勢のときに前記リンク部材を前記係合押当部に導く係合斜面と、
前記係合姿勢のときに前記リンク部材を前記非係合押当部に導く非係合斜面と、
を有する請求項１記載のロック装置。
【請求項３】
前記姿勢変更部は、
前記第１の部材と前記第２の部材とが接近することにより前記リンク部材により押されて前記非係合姿勢から前記係合姿勢に変更する係合押当部と、
前記第１の部材と前記第２の部材とが接近することにより前記リンク部材により押されて前記係合姿勢から前記非係合姿勢に変更する非係合押当部と、
前記リンク部材を前記係合押当部に導く係合斜面と、
前記リンク部材を前記非係合押当部に導く非係合斜面と、を有し、
前記リンク部材が前記原姿勢であるときの前記第１の部材と前記第２の部材との移動方向に沿った前記係合部の経路を係合経路として、前記リンク部材により前記係合押当部が押されたときに前記非係合斜面が前記係合経路に臨み、前記リンク部材により前記非係合押当部が押されたときに前記係合斜面が前記係合経路に臨むように、前記フック部材の姿勢が切り換えられる、
請求項１記載のロック装置。
【請求項４】
前記リンク部材は、前記係合経路に沿った方向に延びる姿勢を前記原姿勢とし、弾性部材によって前記原姿勢に戻る方向に付勢されている、
請求項３記載のロック装置。
【請求項５】
前記係合斜面および前記非係合斜面は、正面視においてその境界部分を頂点とする三角形の二辺を形成する、
請求項２ないし４のいずれかに記載のロック装置。
【請求項６】
トップ部材とベース部材との間に可撓性を有した複数のひご部材が放射状に配置されてなる伸縮骨構造体と前記伸縮骨構造体の外面に設けられたバルーン部材とを有し、前記伸縮骨構造体の内部に配置される照明ランプによって周辺の照明を行う照明装置であって、
前記照明ランプは、前記トップ部材に対しパイプ部材によって連結されて前記伸縮骨構造体の内部に配置される中間部材に取り付けられ、
前記トップ部材および前記中間部材と前記ベース部材とは、前記パイプ部材と前記パイプ部材の内部を軸方向に移動可能なロッド部材からなる伸縮可能な伸縮支柱によって、互いに接近しまたは離間する方向に移動可能なように連結され、
前記中間部材と前記ベース部材との間には、前記ベース部材が前記中間部材に接近した状態において互いに引き合う方向に係合して互いに離れないように係止するためのロック装置が設けられており、
前記ロック装置は、
前記中間部材または前記ベース部材の一方に回動軸を中心に回動可能に取り付けられ、先端部にフックが設けられたフック部材と、
前記中間部材または前記ベース部材の他方に回動軸を中心に回動可能にかつ原姿勢に戻る方向に付勢されて取り付けられ、先端部に前記フックと係合可能な係合部を備えたリンク部材と、を有し、
前記フック部材には、前記リンク部材により押されることによって前記フックを前記リンク部材が原姿勢であるときに係合する係合姿勢と係合しない非係合姿勢との間で回動させる姿勢変更部が設けられている、
ことを特徴とする照明装置。
【請求項７】
一端が前記中間部材または前記ベース部材の一方に連結され、前記中間部材または前記ベース部材の他方に設けられた支持部材を介して引き延ばされた索条体が設けられ、
前記索条体を引くことによって、前記中間部材と前記ベース部材とが接近する方向に移動するように構成されている、
請求項６記載の照明装置。
【請求項８】
前記姿勢変更部は、
前記中間部材と前記ベース部材とが接近することにより前記リンク部材により押されて前記非係合姿勢から前記係合姿勢に変更する係合押当部と、
前記中間部材と前記ベース部材とが接近することにより前記リンク部材により押されて前記係合姿勢から前記非係合姿勢に変更する非係合押当部と、
前記リンク部材を前記係合押当部に導く係合斜面と、
前記リンク部材を前記非係合押当部に導く非係合斜面と、を有し、
前記リンク部材が前記原姿勢であるときの前記中間部材と前記ベース部材との移動方向に沿った前記係合部の経路を係合経路として、前記リンク部材により前記係合押当部が押されたときに前記非係合斜面が前記係合経路に臨み、前記リンク部材により前記非係合押当部が押されたときに前記係合斜面が前記係合経路に臨むように、前記フック部材の姿勢が切り換えられる、
請求項６または７記載の照明装置。
【請求項９】
前記リンク部材は、前記係合経路に沿った方向に延びる姿勢を前記原姿勢とし、弾性部材によって前記原姿勢に戻る方向に付勢されている、
請求項８記載の照明装置。
【発明の詳細な説明】
【技術分野】
【０００１】
本発明は、工事現場、事故現場、または野外のイベント会場などにおいて用いられるバルーン型などの照明装置、およびそのような照明装置に好適に用いられるロック装置に関する。
【背景技術】
【０００２】
従来より、バルーン型の照明装置として、傘の骨のようなひご部材を広げることによってバルーンを膨らませる傘タイプのものが種々提案されている。例えば、特許文献１に開示されたバルーン型の照明装置では、トップ部材とベース部材との間に、回動可能に連結された２つの棒材からなる複数の骨材が放射状に配置され、骨材のそれぞれの端部が、トップ部材とベース部材とに回動可能に連結されている。トップ部材は、照明ランプを介して支柱に連結されており、ベース部材は支柱に対して上下方向に移動可能に設けられている。ベース部材を上方へ移動させることにより、骨材が放射状に開き、骨材に取り付けられたひご部材が同時に開くことによってバルーンが膨らむようになっている。
【０００３】
また、特許文献２に開示された照明装置では、トップ部材とベース部材との間に可撓性を有した複数のひご部材が放射状に配置されており、ひご部材の外面にバルーン部材が張られている。トップ部材には支柱が連結され、ベース部材は支柱に対して上下方向に移動可能に設けられている。支柱の上端部に照明ランプが取り付けられ、下端部に操作用の握手が取り付けられている。作業者が握手を持ってベース部材を上方へ移動させることにより、ひご部材が開いてバルーンが膨らむようになっている。
【０００４】
これらの照明装置では、いずれも支柱の上端部にトップ部材が取り付けられ、支柱に対して移動可能なベース部材を上下方向に移動させることによってバルーンを膨らませまたはしぼませるようになっているので、作業者の操作に負担がかかっていた。バルーンを膨らませるための操作が容易であって作業者に大きな負担をかけることのないような照明装置を本出願人が特許文献３として提案した。
【０００５】
特許文献３の照明装置では、トップ部材とベース部材との間に可撓性を有した複数のひご部材が放射状に配置されてなる伸縮骨構造体と伸縮骨構造体の外面に設けられたバルーン部材とを有し、伸縮骨構造体の内部に配置される照明ランプによって周辺の照明を行う照明装置であって、トップ部材とベース部材とは、パイプ部材およびパイプ部材内を軸方向に移動可能なロッド部材からなる伸縮可能な伸縮支柱によって互いに連結されており、ロッド部材には、伸縮支柱を収縮させた状態においてパイプ部材を貫通してその開口端部から突出する位置に、開口端部に係合して伸縮支柱の伸長方向への移動を阻止することの可能な係止部材が設けられている。
【先行技術文献】
【特許文献】
【０００６】
【特許文献１】特開２００４−２５３１７２号公報
【特許文献２】特開２００４−９５５１７号公報
【特許文献３】特許第４５０２９２４号公報
【発明の概要】
【発明が解決しようとする課題】
【０００７】
上に述べた特許文献３の照明装置によると、バルーンを膨らませるための操作およびバルーンを萎ませるための操作がいずれも極めて容易であり、作業者に負担をかけることなくその作業を迅速に行うことが可能である。
【０００８】
しかし、バルーンが膨らんだ状態と萎んだ状態とに変位させるときに、ベース部材を上下方向に移動させ、バルーンが膨らんだ状態でベース部材をその位置で固定できることも望まれていた。
【０００９】
本発明は、トップ部材を固定しベース部材を移動可能として、バルーンが膨らんだ状態でベース部材をその位置で固定できる構造の照明装置、および、そのために用いることのできるロック装置を提供することを目的とする。
【課題を解決するための手段】
【００１０】
本発明に係る照明装置は、トップ部材とベース部材との間に可撓性を有した複数のひご部材が放射状に配置されてなる伸縮骨構造体と前記伸縮骨構造体の外面に設けられたバルーン部材とを有し、前記伸縮骨構造体の内部に配置される照明ランプによって周辺の照明を行う照明装置であって、前記照明ランプは、前記トップ部材に対しパイプ部材によって連結されて前記伸縮骨構造体の内部に配置される中間部材に取り付けられ、前記トップ部材および前記中間部材と前記ベース部材とは、前記パイプ部材と前記パイプ部材の内部を軸方向に移動可能なロッド部材からなる伸縮可能な伸縮支柱によって、互いに接近しまたは離間する方向に移動可能なように連結され、前記中間部材と前記ベース部材との間には、前記ベース部材が前記中間部材に接近した状態において互いに引き合う方向に係合して互いに離れないように係止するためのロック装置が設けられており、前記ロック装置は、前記中間部材または前記ベース部材の一方に回動軸を中心に回動可能に取り付けられ、先端部にフックが設けられたフック部材と、前記中間部材または前記ベース部材の他方に回動軸を中心に回動可能にかつ原姿勢に戻る方向に付勢されて取り付けられ、先端部に前記フックと係合可能な係合部を備えたリンク部材と、を有し、前記フック部材には、前記リンク部材により押されることによって前記フックを前記リンク部材が原姿勢であるときに係合する係合姿勢と係合しない非係合姿勢との間で回動させる姿勢変更部が設けられている。
【００１１】
好ましくは、一端が前記中間部材または前記ベース部材の一方に連結され、前記中間部材または前記ベース部材の他方に設けられた支持部材を介して引き延ばされた索条体が設けられ、前記索条体を引くことによって、前記中間部材と前記ベース部材とが接近する方向に移動するように構成されている。
【００１２】
本発明に係るロック装置は、互いに接近しまたは離間する方向に移動可能な第１の部材と第２の部材との間に設けられ、前記第１の部材と前記第２の部材とが接近した状態において互いに引き合う方向に係合して互いに離れないように係止するためのロック装置であって、前記第１の部材に回動軸を中心に回動可能に取り付けられ、先端部にフックが設けられたフック部材と、前記第２の部材に回動軸を中心に回動可能にかつ原姿勢に戻る方向に付勢されて取り付けられ、先端部に前記フックと係合可能な係合部を備えたリンク部材と、を有し、前記フック部材には、前記リンク部材により押されることによって前記フックを前記リンク部材が原姿勢であるときに係合する係合姿勢と係合しない非係合姿勢との間で回動させる姿勢変更部が設けられている。
【００１３】
好ましくは、前記姿勢変更部は、前記第１の部材と前記第２の部材とが接近することにより前記リンク部材により押されて前記非係合姿勢から前記係合姿勢に変更する係合押当部と、前記第１の部材と前記第２の部材とが接近することにより前記リンク部材により押されて前記係合姿勢から前記非係合姿勢に変更する非係合押当部と、前記非係合姿勢のときに前記リンク部材を前記係合押当部に導く係合斜面と、前記係合姿勢のときに前記リンク部材を前記非係合押当部に導く非係合斜面と、を有する。
【発明の効果】
【００１４】
本発明によると、トップ部材を固定しベース部材を移動可能として、バルーンが膨らんだ状態でベース部材をその位置で固定できる構造の照明装置を提供することができる。
【００１５】
また、本発明のロック装置によると、簡単な操作によってロックとロックの解除とを行うことのできるロック装置を提供することができる。
【図面の簡単な説明】
【００１６】
【図１】本発明に係る一実施形態の照明装置の外観を示す斜視図である。
【図２】一実施形態の照明装置の断面正面図である。
【図３】図２の照明装置の底面図である。
【図４】ロック装置の正面図である。
【図５】ロック装置の側面図である。
【図６】ロック装置のセンタリングばねを示す図である。
【図７】ロック装置の動作を説明するための図である。
【発明を実施するための形態】
【００１７】
図１には、本発明に係る一実施形態の照明装置１の外観が、図２には照明装置１の断面正面図が、図３には照明装置１の底面図が、それぞれ示されている。図２において、実線はバルーンを膨らませた状態を示し、２点鎖線はバルーンを萎ませた状態を示す。
【００１８】
図１〜図３に示す照明装置１において、特に図２に示されるように、トップ部材１１とベース部材１３との間に可撓性を有した複数のひご部材１５，１５，１５…が放射状に配置され、これによって伸縮骨構造体ＳＫが構成されている。伸縮骨構造体ＳＫの外面に合成樹脂などからなるシート状のバルーン部材３１が張られ、これによって偏球状または偏平楕円体状の外観が形成されている。伸縮骨構造体ＳＫの内部に、後述するランプユニットＬＵが配置され、ランプＬＭの点灯によって周辺の照明が行われる。
【００１９】
バルーン部材３１は、ナイロン、ポリエステル、または布や帆布などの透光性を有する白色またはカラーの材料からなり、膨らんだ状態で偏球状となるように縫製されている。バルーン部材３１の上側はトップ部材１１の外周に沿っており、下側はベース部材１３の外周に沿っている。
【００２０】
なお、ひご部材１５は、ステンレス鋼材などからなるばね性を有する線材であるが、ばね性を高めるために、両端部に近い位置において伸縮骨構造体ＳＫの内側に突出する小さなコイルを形成しておいてもよい。
【００２１】
トップ部材１１には、２本のパイプ部材１６の上端が固定され、これらパイプ部材１６の下端には、中間部材１２が固定されている。つまり、トップ部材１１と中間部材１２とは、２本のパイプ部材１６によって連結されている。
【００２２】
トップ部材１１、中間部材１２、およびベース部材１３は、いずれも、帯状のステンレス鋼板などを湾曲させて円環状に形成した環状部１１ａ，１２ａ，１３ａと、環状部１１ａ，１２ａ，１３ａの下側の端縁部において直径方向に配置されてブラケットとネジなどにより取り付けられた帯状のアルミニウム合金板などからなる下プレート１１ｂ，１２ｂ，１３ｂとを備える。トップ部材１１の上には、円盤状のトッププレート１４が取り付けられている。
【００２３】
中間部材１２には、パイプ状のスペーサ２１を介して、ランプベース２２がボルトによって取り付けられている。ランプベース２２には、ランプＬＭを取り付けるためのソケット２３およびランプＬＭを点灯させるための図示しないイグナイターが取り付けられている。
【００２４】
また、トップ部材１１と中間部材１２との間には、ガイドロッド１７が取り付けられている。パイプ部材１６およびガイドロッド１７の外周面には、金属線が円環状に形成された複数のランプガード１８が取り付けられている。
【００２５】
このように、トップ部材１１および中間部材１２は一体化され、これにランプＬＭが取り付けられて、ランプユニットＬＵを構成している。
【００２６】
パイプ部材１６には、その内部を軸方向に移動可能なロッド部材１６ａが挿入されており、これによってテレスコピック式に伸縮可能な伸縮支柱ＳＳが構成される。ロッド部材１６ａの下端は、ベース部材１３に固定されている。したがって、トップ部材１１および中間部材１２とベース部材１３とは、つまりランプユニットＬＵとベース部材１３とは、伸縮支柱ＳＳによって、互いに接近しまたは離間する方向に移動可能なように連結されている。
【００２７】
つまり、ロッド部材１６ａが最も伸長したときにバルーン部材３１は萎んだ状態となり、最も収縮したときにバルーン部材３１は膨らんだ状態となる。最も伸長したときでもロッド部材１６ａの下端部はパイプ部材１６の中に残り、最も収縮したときでもロッド部材１６ａの下端部はパイプ部材１６の下端から下方へ若干突出した状態である。
【００２８】
そして、中間部材１２の下プレート１２ｂの中央には、円筒状のフランジ２４がネジによって取り付けられ、このフランジ２４の穴に円筒状の支持軸２５の上端部が挿入されてネジなどにより固定されている。
【００２９】
さらに、ベース部材１３の下プレート１３ｂの中央にも、円筒状のフランジ２６がネジによって取り付けられている。下プレート１３ｂには、フランジ２６の穴よりも若干大きい穴が開けられており、支持軸２５は、下プレート１３ｂの穴とフランジ２６の穴とを貫通し、かつフランジ２６の穴との間で摺動可能である。したがって、ベース部材１３は、支持軸２５の外周面をガイド面としてこれに沿って上下方向に摺動可能となっている。
【００３０】
支持軸２５を、三脚スタンドやテレスコープ式の伸縮駆動装置などにより立設されたポールに連結することにより、照明装置１の全体を地面の上や車両に取り付けてセットすることができる。
【００３１】
また、中間部材１２の下プレート１２ｂの下面には、ブラケット２７ａを介して、水平方向の軸を中心に回転可能なローラ２７が取り付けられている。ローラ２７には、ベース部材１３の下プレート１３ｂに設けられた穴を貫通したワイヤー２８が上方から巻き掛けられている。ワイヤー２８の一端には、下プレート１３ｂの穴を貫通した後でワイヤー止め具２８ａが固定され、ワイヤー止め具２８ａによってワイヤー２８の一端が下プレート１３ｂの下面において係止され、抜け止めがなされている。ワイヤー２８の他端は、下プレート１３ｂの穴を貫通した後でさらに下方に延長され、その先端に丸棒状のグリップ２９が取り付けられている。
【００３２】
したがって、操作者がグリップ２９を手で握ってワイヤー２８を下方へ引くことにより、ワイヤー２８がローラ２７を介して方向転換され、その先端のワイヤー止め具２８ａによってベース部材１３を上方へ引き上げることとなる。つまり、ワイヤー２８を下方へ引くとベース部材１３が上方へ移動し、ワイヤー２８を緩めるとベース部材１３は重力によって下方へ移動する。
【００３３】
ベース部材１３が最も下方に移動したときに、バルーン部材３１が萎んだ状態となる。ベース部材１３が最も上方に移動したときに、バルーン部材３１が膨らんだ状態となる。ベース部材１３が最も上方に移動したときに、その状態を維持するために、ロック装置ＬＳが設けられている。
【００３４】
すなわち、中間部材１２とベース部材１３との間には、ベース部材１３が中間部材１２に接近した状態において互いに引き合う方向に係合して互いに離れないように係止するためのロック装置ＬＳが設けられている。
【００３５】
また、中間部材１２には、ランプＬＭに電源を供給するためのケーブル４１が取り付けられ、ケーブル４１の先端には電源の配線と接続するためのコネクタ４１ａが取り付けられている。なお、ケーブル４１は、ベース部材１３の下プレート１３ｂに設けられた穴を貫通して下方に延長されている。
【００３６】
次に、図４〜図７を参照してロック装置ＬＳについて説明する。
【００３７】
図４〜図６において、ロック装置ＬＳは、ベース部材１３の下プレート１３ｂの上面に取り付けられたフック装置５０と、中間部材１２の下プレート１２ｂの下面に取り付けられたリンク装置６０とからなる。
【００３８】
フック装置５０は、基台ブロック５１、フック部材５２、軸ネジ５３、および圧縮コイルばね５４などを有する。
【００３９】
リンク装置６０は、基台ブロック６１、リンク部材６２（６２ａ，６２ｂ）、軸ネジ６３、係合ネジ６４、ロックナット６５、およびセンタリングばね６６などを有する。
【００４０】
まず、リンク装置６０において、基台ブロック６１は、アルミニウム合金などによってほぼ直方体形状に形成されており、複数のネジ６１ａによって下プレート１２ｂの下面に固定されている。基台ブロック６１の端面の中央部に貫通穴が設けられており、その貫通穴に挿入された軸ネジ６３によって、軸ネジ６３を回動軸としてリンク部材６２が回動可能に取り付けられている。なお、軸ネジ６３の先端にはロックナット６３ａが取り付けられており、リンク部材６２の回動は自在であり、かつ軸ネジ６３が緩むこともない。
【００４１】
２つのリンク部材６２ａ，６２ｂは、それぞれの先端に設けられた穴に係合ネジ６４の軸部６４ａが挿通され、ロックナット６５によって平行な状態で連結されている。センタリングばね６６は、ばね鋼などからなる線材を曲げて形成したものであり、上端の環状に曲げられた環状部分６６ａがネジ６７によって下プレート１２ｂに固定され、直線部６６ｂがリンク部材６２と平行に鉛直に延び、下端のＵ字状部６６ｃが軸部６４ａの先端部分を巻き掛けた状態で係合している。
【００４２】
センタリングばね６６の直線部６６ｂは、自由状態で鉛直方向に延び、つまり下プレート１２ｂの表面に対して垂直な方向に延びるので、リンク部材６２は、自由状態ではセンタリングばね６６によって鉛直方向に沿った姿勢（原姿勢）に保持されている。
【００４３】
リンク部材６２が、外力によりセンタリングばね６６の付勢力に抗して原姿勢から回動し、左方向または右方向に振れた場合でも、その外力が取り除かれれば、センタリングばね６６の付勢力によって元の原姿勢に復帰する。つまり、リンク部材６２は、センタリングばね６６によって原姿勢に戻る方向に付勢されている。
【００４４】
ベース部材１３中間部材１２に対してが移動したとき、つまり中間部材１２とベース部材１３とが相対移動したときに、軸部６４ａが移動（相対移動）する経路は、下プレート１２ｂ，１３ｂの表面に対して垂直な方向に沿っており、これが図４において係合経路ＫＫとして示されている。つまり、係合経路ＫＫは、リンク部材６２の原姿勢における中心線上にある。
【００４５】
リンク部材６２の先端に設けられた係合ネジ６４の軸部６４ａは、後述するフック部材５２のフック５２ａと係合可能である。軸部６４ａとフック部材５２とが係合したときは、中間部材１２とベース部材１３とが互いに引き合う方向に係合して互いに離れないように係止することとなる。
【００４６】
係合ネジ６４または軸部６４ａは、本発明の「係合部」の一例である。なお、リンク部材６２と係合ネジ６４とを含めて、「リンク部材６２」または「リンク部材」と記載することがある。
【００４７】
次に、フック装置５０において、基台ブロック５１は、アルミニウム合金などによってほぼ直方体形状に形成されており、複数のネジ５１ａによって下プレート１３ｂの上面に固定されている。基台ブロック５１の１つの端面にネジ穴が設けられており、そのネジ穴にネジ込まれた軸ネジ５３および圧縮コイルばね５４によって、フック部材５２が回動可能に取り付けられている。
【００４８】
フック部材５２は、例えばステンレス鋼板などからなる板状体を加工することにより、フック５２ａおよび姿勢変更部５２ｂを備えるように外形が形成されたものである。
【００４９】
姿勢変更部５２ｂは、直角三角形の２つの等辺に似た形状を有し、各等辺の下端部に、各等辺が上方に反り返った凹部様の形状を有する。それらの中心部分に穴が設けられ、その穴に上に述べた軸ネジ５３が挿入され、フック部材５２の全体が、軸ネジ５３を回動軸として、軸ネジ５３を中心に回動可能となっている。また、圧縮コイルばね５４によってフック部材５２が基台ブロック５１に押しつけられ、その摩擦力がフック部材５２の回動に対して抵抗力となり、フック部材５２は任意の回動角度位置（回転角度位置）において保持される。
【００５０】
フック５２ａは、姿勢変更部５２ｂの一方の端部から斜め上方へ延びるア−ムを有し、ア−ムの上端部に、姿勢変更部５２ｂの直角三角形の頂点の手前近辺において下方に反り返った凹部様の形状を有する。
【００５１】
さらに詳しく説明すると、姿勢変更部５２ｂは、リンク部材６２の先端に設けられた係合ネジ６４により押されることによって、フック５２ａを、リンク部材６２が原姿勢であるときに係合する係合姿勢ＫＳＹと係合しない非係合姿勢ＫＳＮとの間で回動させる機能を有する。
【００５２】
すなわち、姿勢変更部５２ｂは、中間部材１２とベース部材１３とが接近することによりリンク部材６２（係合ネジ６４）により押されて非係合姿勢ＫＳＮから係合姿勢ＫＳＹに変更する係合押当部５２１、中間部材１２とベース部材１３とが接近することによりリンク部材６２（係合ネジ６４）により押されて係合姿勢ＫＳＹから非係合姿勢ＫＳＮに変更する非係合押当部５２２、非係合姿勢ＫＳＮのときにリンク部材６２（係合ネジ６４）を係合押当部５２１に導く係合斜面５２３、および、係合姿勢ＫＳＹのときにリンク部材６２を非係合押当部５２２に導く非係合斜面５２４を有する。
【００５３】
そして、リンク部材６２により係合押当部５２１が押されたときに、非係合斜面５２４が係合経路ＫＫに臨み、リンク部材６２により非係合押当部５２２が押されたときに、係合斜面５２３が係合経路ＫＫに臨むように、フック部材５２の姿勢が切り換えられる。
【００５４】
つまり、係合斜面５２３および非係合斜面５２４は、正面視においてその境界部分を頂点ＴＴとする三角形の二辺を形成し、頂点ＴＴが係合経路ＫＫを挟んで左右に移動することにより、リンク部材６２の係合姿勢ＫＳＹと非係合姿勢ＫＳＮとが切り換えられる。
【００５５】
次に、図７を参照して、ロック装置ＬＳの作用について説明する。
【００５６】
図７（Ａ）において、フック部材５２は非係合姿勢ＫＳＮである。操作者がワイヤー２８を下方へ引いてベース部材１３を最上端付近に移動させ、これにより中間部材１２とベース部材１３とが相対的に最接近すると、リンク部材６２の軸部６４ａは係合経路ＫＫを通過して係合斜面５２３に当接し、係合斜面５２３に沿って移動して係合押当部５２１に当接する。これにより軸部６４ａが係合押当部５２１を押すと、フック部材５２は図の右回転方向Ｒ１に回動し、図７（Ｂ）に示す係合姿勢ＫＳＹとなる。この間において、リンク部材６２は係合姿勢ＫＳＹから右方に振れた姿勢となる。
【００５７】
図７（Ｂ）において、リンク部材６２が係合姿勢ＫＳＹになると、フック５２ａは係合経路ＫＫ上に位置することとなる。操作者がワイヤー２８を緩めてベース部材１３を下方へ移動させ、これにより中間部材１２とベース部材１３とが相対的に離れると、リンク部材６２は当初は係合斜面５２３に沿って上方へ移動し、頂点ＴＴを越えたところで原姿勢に戻る。リンク部材６２が原姿勢に戻った後は、係合経路ＫＫに沿って移動し、軸部６４ａがフック５２ａに係合する。
【００５８】
この状態では、つまりロック状態では、ベース部材１３は中間部材１２からロック装置ＬＳによって吊り下げられた状態となり、ベース部材１３は下方へ移動しない。バルーン部材３１は膨らんだ状態となり、この状態が維持される。
【００５９】
この状態から、操作者がワイヤー２８を再度下方へ引いてベース部材１３を上方へ移動させると、図７（Ｃ）に示すように、リンク部材６２は非係合斜面５２４に沿って移動し、非係合押当部５２２に当接する。これにより軸部６４ａが非係合押当部５２２を押すと、フック部材５２は左回転方向Ｒ２に回動し、図７（Ｄ）に示す非係合姿勢ＫＳＮとなる。この間において、リンク部材６２は係合姿勢ＫＳＹから左方に振れた姿勢となる。
【００６０】
図７（Ｄ）において、操作者がワイヤー２８を緩めてベース部材１３を下方へ移動させると、リンク部材６２は当初は非係合斜面５２４に沿って上方へ移動し、頂点ＴＴを越えたところで原姿勢に戻る。リンク部材６２が原姿勢に戻った後は、係合経路ＫＫに沿って移動し、軸部６４ａがフック５２ａに係合することなく、ベース部材１３はそのまま下方へ移動することとなる。ベース部材１３が下端位置まで移動することによって、バルーン部材３１が萎んだ状態となる。
【００６１】
この状態から再度ワイヤー２８を下方へ引いてベース部材１３を上方へ移動させると、図７（Ａ）で説明したと同じ状態となり、その後にワイヤー２８を緩めると、図７（Ｂ）で説明したようにベース部材１３は中間部材１２と係合して係止され、バルーン部材３１が膨らんだ状態となりそれが維持される。
【００６２】
このように、操作者がワイヤー２８を下方へ引いてその後に緩めるといった操作を繰り返すことにより、ベース部材１３は、中間部材１２との係止と離脱とを繰り返すこととなり、バルーン部材３１を膨らませまたは萎ませることができる。
【００６３】
つまり、ロック装置ＬＳを用いることにより、操作者がワイヤー２８を引くという簡単な操作により、バルーン部材３１を容易に膨らませまたは萎ませることができる。また、バルーン部材３１が膨らんだ状態で、ベース部材１３をその位置で容易に固定することができ、バルーン部材３１が膨らんだ状態でのロックとロックの解除とを簡単な操作で行うことができる。
【００６４】
上に述べた実施形態において、リンク部材６２を原姿勢に維持するためにセンタリングばね６６を用いたが、センタリングばね６６の形状は、例えば板ばね、コイルばねなど、他の種々のものとすることができる。また、センタリングばね６６を省略し、リンク部材６２の自重によって原姿勢を維持するようにしてもよい。
【００６５】
上に述べた実施形態においては、リンク装置６０を中間部材１２に取り付け、フック装置５０ベース部材１３に取り付けたが、これを逆にしてもよい。フック部材５２、リンク部材６２などの形状、寸法、材質、個数などは、上に述べた以外に種々変更することができる。
【００６６】
上に述べた実施形態において、ローラ２７として、種々の形状のものを用いることができる。回転しない単なる棒状または溝の付いた円筒状のものを用いてもよい。ワイヤー２８が脱落しないように適当なガイドを用いることが可能である。ワイヤー２８として、紐状のものチェーン状のものなど、種々の形態の索条体を用いることができる。
【００６７】
その他、トップ部材１１、中間部材１２、ベース部材１３、伸縮支柱ＳＳ、ランプユニットＬＵ、伸縮骨構造体ＳＫ、ロック装置ＬＳ、または照明装置１の各部または全体の構成、構造、形状、寸法、材質、個数、配置などは、本発明の主旨に沿って適宜変更することができる。
【符号の説明】
【００６８】
１  照明装置
１１  トップ部材
１２  中間部材（第１の部材、第２の部材）
１２ｂ  下プレート
１３  ベース部材（第２の部材、第１の部材）
１３ｂ  下プレート
１５  ひご部材
２７  ローラ（支持部材）
２８  ワイヤー（索条体）
３１  バルーン部材
５１  基台ブロック
５２  フック部材
５２ａ  フック
５２ｂ  姿勢変更部
５２１  係合押当部
５２２  非係合押当部
５２３  係合斜面
５２４  非係合斜面
５３  軸ネジ（回動軸）
６１  基台ブロック
６２  リンク部材
６３  軸ネジ（回動軸）
６４  係合ネジ
６４ａ  軸部
６６  センタリングばね（弾性部材）
ＬＳ  ロック装置
ＫＫ  係合経路
ＫＳＹ  係合姿勢
ＫＳＮ  非係合姿勢
ＳＳ  伸縮支柱
ＳＫ  伸縮骨構造体
ＬＵ  ランプユニット
ＴＴ  頂点
【図１】
2015079597.tif 000003
【図２】
2015079597.tif 000004
【図３】
2015079597.tif 000005
【図４】
2015079597.tif 000006
【図５】
2015079597.tif 000007
【図６】
2015079597.tif 000008
【図７】
2015079597.tif 000009